(57)【要約】【課題】紛失した場合に、遠隔ロックを用いながらも発見されやすくするとともに、所有者からの着信のみに対して自動的に通話状態とする。【解決手段】遠隔地からのロック要求に応じて外部からの操作を受け付けなくする端末ロック部１１と、着信があった場合に自動的に通話状態に設定するハンズフリー設定部１２とを有し、ハンズフリー設定部１２は、着信時に予め決められた条件が付与された場合に自動的に通話状態に設定する。【選択図】図１
2010258504.tif 000002
【特許請求の範囲】
【請求項１】
遠隔地からのロック要求に応じて外部からの操作を受け付けなくする機能制限手段と、着信があった場合に自動的に通話状態に設定する自動着信手段とを有してなる携帯電話端末において、
前記自動着信手段は、着信時に予め決められた条件が付与された場合に自動的に通話状態に設定することを特徴とする携帯電話端末。
【請求項２】
請求項１に記載の携帯電話端末において、
前記自動着信手段は、着信時に予め決められたパスワードを受信した場合に自動的に通話状態に設定する携帯電話端末。
【請求項３】
請求項１に記載の携帯電話端末において、
前記自動着信手段は、予め決められた電話番号からの着信があった場合に自動的に通話状態に設定する携帯電話端末。
【発明の詳細な説明】
【技術分野】
【０００１】
本発明は、携帯電話端末に関する。
【背景技術】
【０００２】
現在、携帯電話は、情報交換や情報収集の面から、生活にはなくてはならないツールとなりつつある。そのため、若者やビジネスマンのみならず、主婦や年配者も携帯電話を所有することが多くなっており、また、子供の安全性の面から子供向けのキッズ携帯といった機種も販売されている。このような携帯電話は、世の中に登場した当時は、通話機能しか有していないものがほとんどであったが、近年では、一般のパーソナルコンピュータと同様に、電子メールを送信したり、インターネットに接続したりすることができるとともに、画像等のデータが保存可能となっており、また、ＩＣチップによって電子マネーとしても利用可能となっている。
【０００３】
そのため、携帯電話を紛失した場合、保存された個人情報が漏洩したり、電子マネーが無断で使用されたりする虞れが生じてしまう。
【０００４】
そこで、携帯電話を紛失した場合に、遠隔操作を行うことにより、携帯電話に対する操作を受け付けなくする遠隔ロックの技術が用いられている。さらに、携帯電話を紛失した場合に、遠隔操作を行うことにより、アラーム音や音声メッセージを出力し、それにより、紛失した携帯電話の周囲にいる人に携帯電話の存在を知らせる技術が特許文献１に開示されている。また、携帯電話を紛失して遠隔操作によって遠隔ロックをかけた場合に、オフフックボタンを押さなくても自動的に通話状態となる自動着信機能を動作させ、それにより、携帯電話の所有者が、携帯電話を紛失した場合にその携帯電話に電話をかけ、例えば、「誰か拾って下さーい」という呼びかけを行うことにより、紛失した携帯電話の周囲にいる人に携帯電話を拾ってもらいやすくする技術が特許文献２に開示されている。
【先行技術文献】
【特許文献】
【０００５】
【特許文献１】特開２００８−２９４６８８号公報
【特許文献２】特開２００７−３１８３６３号公報
【発明の概要】
【発明が解決しようとする課題】
【０００６】
しかしながら、特許文献１に開示された技術においては、遠隔操作を行うことにより、アラーム音や音声メッセージを出力するだけであるため、携帯電話の存在に気づいた人が携帯電話を拾ったものの、携帯電話が遠隔ロック状態であるため、その携帯電話の所有者に連絡をとることができないという問題点がある。
【０００７】
また、特許文献２に開示されたものにおいては、遠隔操作によって遠隔ロックをかけた場合に、オフフックボタンを押さなくても自動的に通話状態となる自動着信機能を動作させるため、携帯電話の所有者が遠隔ロックをかけた後に携帯電話に電話をかけることにより、携帯電話を拾った人が携帯電話の所有者と通話をすることができるものの、携帯電話の所有者が遠隔ロックをかけた後の着信に対しては全て通話状態となるため、携帯電話の所有者が遠隔ロックをかけた後にすぐに携帯電話に電話をかけなければ、携帯電話が他の電話と通話状態となってしまう場合があり、セキュリティ上好ましくない。また、携帯電話の所有者が遠隔ロックをかけた後にすぐに携帯電話に電話をしたものの、携帯電話が拾われずに電話を一旦切った場合も、その後に他の電話から着信があった場合にその電話と通話状態となってしまい、同様にセキュリティ上好ましくはない。
【０００８】
本発明は、上述したような技術が有する問題点に鑑みてなされたものであって、紛失した場合に、遠隔ロックを用いながらも発見されやすくするとともに、所有者からの着信のみに対して自動的に通話状態とすることができる携帯電話端末を提供することを目的とする。
【課題を解決するための手段】
【０００９】
上記目的を達成するために本発明は、
遠隔地からのロック要求に応じて外部からの操作を受け付けなくする機能制限手段と、着信があった場合に自動的に通話状態に設定する自動着信手段とを有してなる携帯電話端末において、
前記自動着信手段は、着信時に予め決められた条件が付与された場合に自動的に通話状態に設定することを特徴とする。
【発明の効果】
【００１０】
本発明は、以上説明したように構成されているので、遠隔ロックを用いながらも発見されやすくするとともに、所有者からの着信のみに対して自動的に通話状態とすることができる。
【図面の簡単な説明】
【００１１】
【図１】本発明の携帯電話端末の第１の実施の形態を示すブロック図である。
【図２】図１に示した携帯電話端末の動作を説明するためのフローチャートである。
【図３】本発明の携帯電話端末の第２の実施の形態を示すブロック図である。
【図４】図３に示した携帯電話端末の動作を説明するためのフローチャートである。
【発明を実施するための形態】
【００１２】
以下に、本発明の実施の形態について図面を参照して説明する。
【００１３】
（第１の実施の形態）
図１は、本発明の携帯電話端末の第１の実施の形態を示すブロック図である。
【００１４】
本形態は図１に示すように、パスワードの受信や着呼、発呼を行うアンテナ部６０と、アンテナ部６０を介したこれらの通信を制御する無線部５０と、電話番号等の情報を入力するためのキーボタン等からなる操作部３０と、情報を表示するディスプレイからなる表示部７０と、音声を出力するスピーカー４０と、アンテナ部６０を介して受信したパスワードの処理を行うパスワード処理部２０と、これらを制御する制御部１０とから構成されている。
【００１５】
パスワード処理部２０は、予め設定された端末ロック用のパスワードと強制ハンズフリー用のパスワードを記憶したパスワード記憶部２１と、アンテナ部６０を介して受信したパスワードとパスワード記憶部２１に記憶されたパスワードとを比較するパスワード比較部２２とを備えている。
【００１６】
制御部１０は、遠隔地からのロック要求においてアンテナ部６０を介して受信したパスワードがパスワード記憶部２１に記憶された端末ロック用のパスワードと一致した場合に、携帯電話端末をロック状態として操作部３０を介した操作を受け付けなくする機能制限手段である端末ロック部１１と、着信状態においてアンテナ部６０を介して受信したパスワードがパスワード記憶部２１に記憶された強制ハンズフリー用のパスワードと一致した場合に、自動的に応答してハンズフリー通話状態に設定する自動着信手段であるハンズフリー設定部１２とを備えている。
【００１７】
以下に、上記のように構成された携帯電話端末の動作について説明する。
【００１８】
図２は、図１に示した携帯電話端末の動作を説明するためのフローチャートである。
【００１９】
携帯電話端末の所有者が、携帯電話端末を紛失した場合に遠隔地から端末ロック用のパスワードを送信することによりロック要求を発信すると、このパスワードがアンテナ部６０を介して受信される（ステップＡ１）。
【００２０】
アンテナ部６０にてパスワードが受信されると、パスワード処理部２０のパスワード比較部２２において、アンテナ部６０を介して受信したパスワードとパスワード記憶部２１に記憶された端末ロック用のパスワードとが比較され、アンテナ部６０を介して受信したパスワードがパスワード記憶部２１に記憶された端末ロック用のパスワードと一致した場合（ステップＡ２）、制御部１０の端末ロック部１１において、携帯電話端末がロック状態に設定され、操作部３０を介した操作が一切受け付けなくされる（ステップＡ３）。
【００２１】
その後、携帯電話端末の所有者が、携帯電話端末へ発呼し、強制ハンズフリー用のパスワードを送信すると、携帯電話端末が着信状態となるとともに（ステップＡ４）、送信されたパスワードがアンテナ部６０を介して受信される（ステップＡ５）。
【００２２】
アンテナ部６０にてパスワードが受信されると、パスワード処理部２０のパスワード比較部２２において、アンテナ部６０を介して受信したパスワードとパスワード記憶部２１に記憶された強制ハンズフリー用のパスワードとが比較され、アンテナ部６０を介して受信したパスワードがパスワード記憶部２１に記憶された強制ハンズフリー用のパスワードと一致した場合（ステップＡ６）、制御部１０のハンズフリー設定部１２において、自動的に応答してハンズフリー通話状態に設定される（ステップＡ７）。ハンズフリー通話中の音声はスピーカー４０から出力され、携帯電話端末の所有者を携帯電話端末の周囲に届かせることができる。
【００２３】
また、アンテナ部６０を介して受信したパスワードがパスワード記憶部２１に記憶された強制ハンズフリー用のパスワードと一致しない場合は、ハンズフリー通話状態には設定されず、通常の着信状態となる（ステップＡ８）。この通常の着信状態においては、携帯電話端末がロック状態となっているため、外部からの操作によって通話状態とすることはできず、メッセージ応答モードに設定されている場合は、決められたメッセージが流れることになる。
【００２４】
このように本形態においては、携帯電話端末をロック状態に設定した後、予め決められた強制ハンズフリー用のパスワードを用いて携帯電話端末を自動的にハンズフリー通話状態に設定するので、遠隔ロックを用いながらも発見されやすくするとともに、所有者からの着信のみに対して自動的にハンズフリー通話状態とすることができる。
【００２５】
（第２の実施の形態）
図３は、本発明の携帯電話端末の第２の実施の形態を示すブロック図である。
【００２６】
本形態は図３に示すように、パスワードの受信や着呼、発呼を行うアンテナ部１６０と、アンテナ部１６０を介したこれらの通信を制御する無線部１５０と、電話番号等の情報を入力するためのキーボタン等からなる操作部１３０と、情報を表示するディスプレイからなる表示部１７０と、音声を出力するスピーカー１４０と、アンテナ部１６０を介して受信したパスワードの処理を行うパスワード処理部１２０と、着信した電話番号の比較処理を行う番号処理部１８０と、これらを制御する制御部１１０とから構成されている。
【００２７】
パスワード処理部１２０は、予め設定された端末ロック用のパスワードを記憶したパスワード記憶部１２１と、アンテナ部１６０を介して受信したパスワードとパスワード記憶部１２１に記憶されたパスワードとを比較するパスワード比較部１２２とを備えている。
【００２８】
番号処理部１８０は、予め設定された電話番号を記憶した番号記憶部１８１と、着信が
あった場合にその着信した電話番号と番号記憶部１８１に記憶された電話番号とを比較する番号比較部１８２とを備えている。
【００２９】
制御部１１０は、遠隔地からのロック要求においてアンテナ部１６０を介して受信したパスワードがパスワード記憶部１２１に記憶された端末ロック用のパスワードと一致した場合に、携帯電話端末をロック状態として操作部１３０を介した操作を受け付けなくする機能制限手段である端末ロック部１１１と、着信があった場合にその着信した電話番号が番号記憶部１８１に記憶された電話番号と一致した場合に、自動的に応答してハンズフリー通話状態に設定する自動着信手段であるハンズフリー設定部１１２とを備えている。
【００３０】
以下に、上記のように構成された携帯電話端末の動作について説明する。
【００３１】
図４は、図３に示した携帯電話端末の動作を説明するためのフローチャートである。
【００３２】
携帯電話端末の所有者が、携帯電話端末を紛失した場合に遠隔地から端末ロック用のパスワードを送信することによりロック要求を発信すると、このパスワードがアンテナ部１６０を介して受信される（ステップＢ１）。
【００３３】
アンテナ部１６０にてパスワードが受信されると、パスワード処理部１２０のパスワード比較部１２２において、アンテナ部１６０を介して受信したパスワードとパスワード記憶部１２１に記憶された端末ロック用のパスワードとが比較され、アンテナ部１６０を介して受信したパスワードがパスワード記憶部１２１に記憶された端末ロック用のパスワードと一致した場合（ステップＢ２）、制御部１１０の端末ロック部１１１において、携帯電話端末がロック状態に設定され、操作部１３０を介した操作が一切受け付けなくされる（ステップＢ３）。
【００３４】
その後、携帯電話端末の所有者が、携帯電話端末へ発呼すると、携帯電話端末が着信状態となる（ステップＢ４）。
【００３５】
そして、番号処理部１８０の番号比較部１８２において、着信した電話番号と番号記憶部１８１に記憶された電話番号とが比較され、着信した電話番号が番号記憶部１８１に記憶された電話番号と一致した場合、予め決められた電話番号からの着信であると判断され（ステップＢ５）、制御部１１０のハンズフリー設定部１１２において、自動的に応答してハンズフリー通話状態に設定される（ステップＢ６）。ハンズフリー通話中の音声はスピーカー１４０から出力され、携帯電話端末の所有者を携帯電話端末の周囲に届かせることができる。
【００３６】
また、着信した電話番号が番号記憶部１８１に記憶された電話番号と一致しない場合は、予め決められた電話番号からの着信ではないと判断され、ハンズフリー通話状態には設定されず、通常の着信状態となる（ステップＢ７）。
【００３７】
このように本形態においては、携帯電話端末をロック状態に設定した後、予め決められた電話番号からの着信があった場合のみ携帯電話端末を自動的にハンズフリー通話状態に設定するので、遠隔ロックを用いながらも発見されやすくするとともに、所有者からの着信のみに対して自動的にハンズフリー通話状態とすることができる。
【００３８】
なお、本形態にて示した携帯電話端末は、上述したように携帯電話端末を紛失した場合に限らず、電話をかけた相手に強制的に応答させるといった用途や、携帯電話端末の周囲にいる全員に、遠隔地からメッセージを伝えるといった用途にも適用可能である。
【符号の説明】
【００３９】
１０，１１０    制御部
２０，１２０    パスワード処理部
２１，１２１    パスワード記憶部
２２，１２２    パスワード比較部
３０，１３０    操作部
４０，１４０    スピーカー
５０，１５０    無線部
６０，１６０    アンテナ部
７０，１６０    表示部
１８０    番号処理部
１８１    番号記憶部
１８２    番号比較部
【図１】
2010258504.tif 000003
【図２】
2010258504.tif 000004
【図３】
2010258504.tif 000005
【図４】
2010258504.tif 000006